(57)【要約】  電源ボタン１１９のＯＮにより起動し電源ボタンのＯＦＦにより動作を停止する電子黒板２に関し、電源ボタンのＯＦＦを検出する電源ボタン監視部５２と、電源ボタン操作検出手段が電源ボタンのＯＦＦを検出した場合、電源ボタンのＯＮからＯＦＦまでの間に表示装置に表示された可視情報の少なくとも一部を第一の記憶装置に保存する保存手段４１３と、電源ボタンのＯＮにより電子黒板が起動した際に操作時刻記録手段が記録したＯＮ時刻である第１の時刻、および前記電子黒板が第１の前記時刻の直前に動作を停止した際に前記操作時刻記録手段が記録したＯＦＦ時刻である第２の時刻を用いて、第一の記憶装置に記憶されている可視情報を表示装置に表示するか否かを判定する判定手段４１２と、判定手段が可視情報を表示装置に表示すると判定した場合、第一の記憶装置に記憶されている可視情報を表示装置に表示させる情報表示手段４１４と、を有する。
2017064983.tif 000002
【特許請求の範囲】
【請求項１】
電源ボタンのＯＮにより起動し、前記電源ボタンのＯＦＦにより動作を停止する電子黒板であって、
可視情報を表示装置に表示させる表示制御手段と、
前記電源ボタンのＯＦＦを検出する電源ボタン操作検出手段と、
前記電源ボタンのＯＮ時刻及びＯＦＦ時刻を記録する操作時刻記録手段と、
前記電源ボタン操作検出手段が前記電源ボタンのＯＦＦを検出した場合、前記電源ボタンのＯＮからＯＦＦまでの間に前記表示装置に表示された可視情報の少なくとも一部を第一の記憶装置に保存する保存手段と、
前記電源ボタンのＯＮにより前記電子黒板が起動した際に前記操作時刻記録手段が記録した前記ＯＮ時刻である第１の時刻、および前記電子黒板が第１の前記時刻の直前に動作を停止した際に前記操作時刻記録手段が記録した前記ＯＦＦ時刻である第２の時刻を用いて前記第一の記憶装置に記憶されている前記可視情報を前記表示装置に表示するか否かを判定する判定手段と、
前記判定手段が前記可視情報を前記表示装置に表示すると判定した場合、前記第一の記憶装置に記憶されている前記可視情報を前記表示装置に表示させる情報表示手段と、を有する電子黒板。
【請求項２】
前記判定手段は、前記第１の時刻と前記第２の時刻とを用いて、誤操作により前記電源ボタンがＯＦＦされたか否かを推定し、
前記判定手段が前記誤操作により前記電源ボタンがＯＦＦされたと推定した場合、前記情報表示手段は前記第一の記憶装置に記憶されている前記可視情報を前記表示装置に表示させる請求項１に記載の電子黒板。
【請求項３】
前記判定手段は、前記第１の時刻と前記第２の時刻とを用いて、前記電源ボタンのＯＦＦとＯＮが同じ人物により操作されたか否かを推定し、
前記判定手段が前記電源ボタンのＯＦＦとＯＮが同じ人物により操作されたと推定した場合、前記情報表示手段は前記第一の記憶装置に記憶されている前記可視情報を前記表示装置に表示させる請求項１に記載の電子黒板。
【請求項４】
前記判定手段は、前記第１の時刻と前記第２の時刻の差が予め定められている閾値より小さい場合、前記可視情報を前記表示装置に表示すると判定する請求項１に記載の電子黒板。
【請求項５】
外部機器から送信された前記電子黒板の予約時間を記憶する第二の記憶装置を有し、
前記判定手段は、前記第１の時刻と前記第２の時刻が前記予約時間に含まれている場合、前記可視情報を前記表示装置に表示させると判定する請求項１に記載の電子黒板。
【請求項６】
前記表示装置に表示された前記可視情報を保存するか否かの設定を受け付ける設定受付手段を有し、
前記保存手段は、前記設定受付手段が前記可視情報を保存するという設定を受け付け、かつ、前記電源ボタン操作検出手段が前記電源ボタンのＯＦＦを検出した場合、前記表示装置に表示された前記可視情報の少なくとも一部を前記第一の記憶装置に保存する請求項１に記載の電子黒板。
【請求項７】
前記情報表示手段は、前記設定受付手段が前記可視情報を保存するという設定を受け付けた否か、及び、前記判定手段が前記可視情報を前記表示装置に表示すると判定したか否かの判定結果に応じて、前記第一の記憶装置に記憶されている前記可視情報を前記表示装置に表示させる請求項６に記載の電子黒板。
【請求項８】
前記判定手段が前記可視情報を前記表示装置に表示しないと判定した場合、前記判定手段は前記第一の記憶装置に記憶されている前記可視情報を削除する請求項１に記載の電子黒板。
【請求項９】
前記電子黒板は前記電源ボタンのＯＮにより起動するたびに更新されるパスコードを保持するパスコード保持手段を有し、
前記保存手段は、前記表示装置に表示された前記可視情報の少なくとも一部と共に、前記パスコードを前記第一の記憶装置に保存しておき、
前記情報表示手段は、前記第一の記憶装置に記憶されている前記可視情報を前記表示装置に表示させると共に、前記パスコードを前記第一の記憶装置から読み出して、前記パスコード保持手段に設定する請求項１に記載の電子黒板。
【請求項１０】
前記電源ボタン操作検出手段が前記電源ボタンのＯＦＦを検出した場合に、前記表示装置に表示された前記可視情報を保存するか否かの設定を受け付ける設定受付手段を有し、
前記保存手段は、前記設定受付手段が前記可視情報を保存するという設定を受け付けた場合にのみ、前記表示装置に表示された前記可視情報の少なくとも一部を前記第一の記憶装置に保存する請求項１に記載の電子黒板。
【請求項１１】
電源ボタンのＯＮにより起動し、前記電源ボタンのＯＦＦにより動作を停止する電子黒板により実行される処理を制御するコンピュータを、
可視情報を表示装置に表示させる表示制御手段と、
前記電源ボタンのＯＦＦを検出する電源ボタン操作検出手段と、
前記電源ボタンのＯＮ時刻及びＯＦＦ時刻を記録する操作時刻記録手段と、
前記電源ボタン操作検出手段が前記電源ボタンのＯＦＦを検出した場合、前記電源ボタンのＯＮからＯＦＦまでの間に前記表示装置に表示された可視情報の少なくとも一部を第一の記憶装置に保存する保存手段と、
前記電源ボタンのＯＮにより前記電子黒板が起動した際に前記操作時刻記録手段が記録した前記ＯＮ時刻である第１の時刻、および前記電子黒板が第１の前記時刻の直前に動作を停止した際に前記操作時刻記録手段が記録した前記ＯＦＦ時刻である第２の時刻を用いて前記第一の記憶装置に記憶されている前記可視情報を前記表示装置に表示するか否かを判定する判定手段と、
前記判定手段が前記可視情報を前記表示装置に表示すると判定した場合、前記第一の記憶装置に記憶されている前記可視情報を前記表示装置に表示させる情報表示手段と、として機能させるためのプログラムが記録されている記録媒体。
【請求項１２】
電源ボタンのＯＮにより起動し、前記電源ボタンのＯＦＦにより動作を停止する電子黒板が行う情報処理方法であって、
表示制御手段が、可視情報を表示装置に表示させるステップと、
電源ボタン操作検出手段が、前記電源ボタンのＯＦＦを検出するステップと、
操作時刻記録手段が、前記電源ボタンのＯＦＦ時刻を記録するステップと、
前記電源ボタン操作検出手段が前記電源ボタンのＯＦＦを検出した場合、保存手段が、前記電源ボタンのＯＮからＯＦＦまでの間に前記表示装置に表示された可視情報の少なくとも一部を第一の記憶装置に保存するステップと、
前記電源ボタンのＯＮにより起動した際、前記操作時刻記録手段が、前記電源ボタンのＯＮ時刻である第１の時刻、および前記電子黒板が第１の前記時刻の直前に動作を停止した際に前記操作時刻記録手段が記録した前記ＯＦＦ時刻である第２の時刻を用いて、判定手段が、前記第一の記憶装置に記憶されている前記可視情報を前記表示装置に表示するか否かを判定するステップと、
前記判定手段が前記可視情報を前記表示装置に表示すると判定した場合、情報表示手段が、前記第一の記憶装置に記憶されている前記可視情報を前記表示装置に表示させるステップと、を有する情報処理方法。
【発明の詳細な説明】
【技術分野】
【０００１】
本発明は、電子黒板、プログラム及び情報処理方法に関する。
【背景技術】
【０００２】
大型のフラットパネルディスプレイにタッチパネルが搭載された電子黒板が知られている。電子黒板は黒板の役割をする画面を表示し、タッチパネルを介して電子ペンや指などの軌跡を検出して、手書き内容として画面に描画する。したがって、ユーザは画面を黒板のように使用することができる。また、パソコンと接続することができる電子黒板では、パソコンと同じ画面を表示して手書き内容を重畳して描画したり、電子黒板のタッチパネルから入力された情報にしたがってパソコンを操作したりすることができる。【０００３】
また、電子黒板は、手書きされたデータやパソコンの画面を保存しておく機能を有するため、会議などの終了時に所定の操作を行うことで、ユーザは後日、手書きされたデータやパソコンの画面を再表示することができる（例えば、特許文献１参照。）。特許文献１には、パスコードに対応づけて手書きデータを保存する電子黒板システムが開示されている。
【先行技術文献】
【特許文献】
【０００４】
【特許文献１】特許第５６４４２６６号公報
【発明の概要】
【発明が解決しようとする課題】
【０００５】
ところで、電子黒板は電源ボタンを有しており、電源ボタンがＯＮになることで起動する。また、電源ボタンがＯＦＦになることで動作を停止する。上記のように手書き内容などの表示情報を保存するには、ユーザが保存するための何らかの操作を行う必要があるが、ユーザが表示情報を保存する前に電源ボタンを押下してしまう場合がある。例えば、電源ボタンと並んで別のボタンが配置されている場合にユーザがこの別のボタンを押下しようとして電源ボタンを押下してしまう場合がある。あるいは、保存することを忘れたまま電源ボタンを押下してしまう場合がある。また、リモコンで電源のＯＮ/ＯＦＦが可能な電子黒板の場合、ユーザがリモコンを誤って操作して電源をＯＦＦするおそれがある。【０００６】
したがって、ユーザが表示情報を保存する前に電源ボタンをＯＦＦすると、ユーザが意図しない表示情報の消失をもたらすという問題があった。【０００７】
本発明は、上記課題に鑑み、電源ボタン等がＯＦＦされても表示情報のデータの消失を抑制できる電子黒板を提供することを目的とする。
【課題を解決するための手段】
【０００８】
上記課題に鑑み、本発明の一実施形態によれば、電源ボタンのＯＮにより起動し、前記電源ボタンのＯＦＦにより動作を停止する電子黒板であって、可視情報を表示装置に表示させる表示制御手段と、前記電源ボタンのＯＦＦを検出する電源ボタン操作検出手段と、前記電源ボタンのＯＮ時刻及びＯＦＦ時刻を記録する操作時刻記録手段と、前記電源ボタン操作検出手段が前記電源ボタンのＯＦＦを検出した場合、前記電源ボタンのＯＮからＯＦＦまでの間に前記表示装置に表示された可視情報の少なくとも一部を第一の記憶装置に保存する保存手段と、前記電源ボタンのＯＮにより前記電子黒板が起動した際に前記操作時刻記録手段が記録した前記ＯＮ時刻である第１の時刻、および前記電子黒板が第１の前記時刻の直前に動作を停止した際に前記操作時刻記録手段が記録した前記ＯＦＦ時刻である第２の時刻を用いて前記第一の記憶装置に記憶されている前記可視情報を前記表示装置に表示するか否かを判定する判定手段と、前記判定手段が前記可視情報を前記表示装置に表示すると判定した場合、前記第一の記憶装置に記憶されている前記可視情報を前記表示装置に表示させる情報表示手段と、を有する電子黒板が提供される。
【発明の効果】
【０００９】
少なくとも一実施の形態によれば、電源ボタン等がＯＦＦされても表示情報のデータの消失を抑制できる電子黒板を提供することができる。
【図面の簡単な説明】
【００１０】
【図１Ａ】本実施形態の電子黒板の動作の概略を説明する図の一例である。
【図１Ｂ】本実施形態の電子黒板の動作の概略を説明する図の一例である。
【図２】画像処理システムの全体構成図の一例である。
【図３】電子黒板のハードウェア構成図の一例である。
【図４】電子黒板の機能ブロック図の一例である。
【図５】ファイル処理部の機能ブロック図の一例である。
【図６】サーバ部とクライアント部の機能ブロック図の一例である。
【図７】各画像レイヤの構成図の一例である。
【図８】リカバリ処理部の機能ブロック図の一例である。
【図９】各電子黒板の処理を示したシーケンス図の一例である。
【図１０】各電子黒板の処理を示したシーケンス図の一例である。
【図１１】電子黒板２のＵＩ画像とストローク画像を説明する図の一例である。
【図１２Ａ】電子黒板２の電源ボタン又は遠隔電源ボタンがＯＦＦされた際に電子黒板２が行う処理を示すフローチャート図の一例である。
【図１２Ｂ】電子黒板２の電源ボタン又は遠隔電源ボタンがＯＮされた際に電子黒板２が行う処理を示すフローチャート図の一例である。
【図１３】電子黒板２の電源ボタン又は遠隔電源ボタンがＯＮされた際に電子黒板２が行う処理を示すフローチャート図の一例である（実施例２）。
【図１４】ディスプレイに表示される確認ダイアログの一例を示す図である。
【図１５】ディスプレイに表示される設定画面の一例を示す図である。
【図１６Ａ】電子黒板２の電源ボタン又は遠隔電源ボタンがＯＦＦされた際に電子黒板２が行う処理を示すフローチャート図の一例である（実施例３）。
【図１６Ｂ】電子黒板２の電源ボタン又は遠隔電源ボタンがＯＮされた際に電子黒板２が行う処理を示すフローチャート図の一例である（実施例３）。
【図１７Ａ】電子黒板２の電源ボタン又は遠隔電源ボタンがＯＦＦされた際に電子黒板２が行う処理を示すフローチャート図の一例である（実施例４）。
【図１７Ｂ】電子黒板２の電源ボタン又は遠隔電源ボタンがＯＮされた際に電子黒板２が行う処理を示すフローチャート図の一例である（実施例４）。
【図１８Ａ】電子黒板２の電源ボタン又は遠隔電源ボタンがＯＦＦされた際に電子黒板２が行う処理を示すフローチャート図の一例である（実施例５）。
【図１８Ｂ】電子黒板２の電源ボタン又は遠隔電源ボタンがＯＮされた際に電子黒板２が行う処理を示すフローチャート図の一例である（実施例５）。
【図１９】会議室の予約システムの概略構成図を例示する図である（実施例６）。
【図２０】電子黒板２の電源ボタン又は遠隔電源ボタンがＯＮされた際に電子黒板２が行う処理を示すフローチャート図の一例である（実施例６）。
【発明を実施するための形態】
【００１１】
以下、本発明を実施するための形態について図面を参照しながら説明する。
【００１２】
＜動作の概略＞
図１Ａおよび図１Ｂは、本実施形態の電子黒板の動作の概略の一例を説明するフローチャートである。図１Ａは電源ＯＦＦ時の動作を示し、図１Ｂは電源ＯＮ時の動作を示す。なお、各ステップの詳細は後述される。
【００１３】
まず、ユーザが電子黒板の電源ボタンをＯＦＦすることで、電子黒板は電源ＯＦＦを検知する（Ｓ１０）。
【００１４】
電源ＯＦＦ要求を取得すると電子黒板は保存する表示情報があるか否かを判定する（Ｓ２０）。表示情報は、例えば、手書きの線に対応するストロークを表す情報などである。
【００１５】
ステップＳ２０の判定がＹｅｓの場合、電子黒板は表示情報を保存する（Ｓ３０）。保存された表示情報を「保存データ」と称する。
【００１６】
そして、電子黒板は電源ＯＦＦ処理を行う（Ｓ４０）。このように、仮に誤ってユーザが電源ＯＦＦした場合でも、電子黒板は表示情報を保存しておくことができる。
【００１７】
次に、ユーザが電子黒板の電源ボタンをＯＮすることで、電子黒板のアプリケーションプログラムが起動する（Ｓ１１０）。
【００１８】
電子黒板のアプリケーションが起動すると、電子黒板は起動処理を行う（Ｓ１２０）。
【００１９】
起動した電子黒板は保存データがあるか否かを判定する（Ｓ１３０）。
【００２０】
ステップＳ１３０の判定がＹｅｓの場合、電子黒板は保存データを表示すべきか否かを判定する（Ｓ１４０）。保存データを表示すべきか否は、直前の電源ボタンのＯＦＦが誤操作であると推定できるか、又は、直前の電源ボタンのＯＦＦとＯＮが同じ人物によると推定できるか否かを考慮して判定される。具体的には、電源ＯＦＦから電源ＯＮまでの時間が閾値より小さいかどうか、又は、電源ＯＦＦの時刻と電源ＯＮの時刻が予め設定された会議の予約時間に含まれるかどうかなどを判定する。すなわち、電源ボタンの操作履歴を利用して誤操作かどうかを判定できる。
【００２１】
ステップＳ１４０の判定がＮｏの場合、電子黒板は保存データを削除する（Ｓ１６０）。したがって、例えば別の会議の参加者が表示情報を閲覧することを抑制できる。
【００２２】
そして、ステップＳ１４０の判定結果がＹｅｓの場合、電子黒板は保存データを復元してディスプレイなどに表示する（Ｓ１５０）。これにより、直前の電源ボタンのＯＦＦが誤操作であると推定できる場合や、直前の電源ボタンのＯＦＦとＯＮが同じ人物によると推定できる場合、表示情報を復元できる。
【００２３】
したがって、本実施形態の電子黒板２は、誤操作で表示情報を保存することなくユーザが電子黒板を電源ＯＦＦしても、表示情報を消失させずに再表示することができる。
【００２４】
＜用語について＞
表示情報は、電源ＯＮから電源ＯＦＦまでの間に電子黒板がディスプレイに表示したことがある可視情報をいう。すなわち、ディスプレイに表示中の画面（ページ）の可視情報に限られず、ページとして保存されている可視情報を含む。電源ＯＦＦ時にこれらの全てを記憶する必要はなく、ディスプレイに表示中のページだけなど一部だけを記憶してよい。可視情報としては、後述する図７のストローク画像（Ｂ）又は出力画像（Ｃ）の少なくとも一方を含む。更にＵＩ画像（Ａ）を含んでよい。
【００２５】
また、図１に示すような、電源ボタンのＯＦＦにより表示情報を保存する処理、及び、保存データを復元する処理を「電源ボタン関連処理」と称する。
【００２６】
電源ボタンの誤操作とは、保存すべき表示情報があるが保存することなく電源ボタンをＯＦＦすることをいう。押す意図がない状態で電源ボタンをＯＦＦした場合だけでなく、押す意図があって電源ボタンをＯＦＦした場合も含む。
【００２７】
直前の電源ボタンのＯＦＦとＯＮが同じ人物かどうかは、その人物が完全に同一か否かにより判断されるものではない。例えば、表示情報にアクセス可能である異なる人物（例えば、同じ部署の別のユーザ）を同一とみなしてもよい。
【００２８】
＜システムの概要＞
図２は、本実施形態の画像処理システムの全体構成図である。なお、図２では、説明を簡略化するために、２台の電子黒板２ａ，２ｂ及びこれに付随する電子ペン４ａ，４ｂ等を示しているだけであって、３台以上の電子黒板や電子ペン等を利用してもよい。図２に示されているように、画像処理システム１は、複数の電子黒板２ａ，２ｂ、電子ペン４ａ，４ｂ、ＵＳＢメモリ５ａ，５ｂ、ノートＰＣ(Personal Computer)６ａ，６ｂ、テレビ（ビデオ）会議端末７ａ，７ｂ、及びＰＣ８を有する。また、電子黒板２ａ，２ｂ、及びＰＣ８は、通信ネットワーク９を介して通信可能に接続されている。更に、電子黒板２ａ，２ｂには、それぞれディスプレイ３ａ，３ｂが設けられている。
また、電子黒板２ａには、電子ペン４ａによって生じたイベント（ディスプレイ３ａに電子ペン４ａの端部のタッチ）により描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００２９】
また、電子黒板２ａには、ＵＳＢメモリ５ａが接続可能であり、電子黒板２ａはＵＳＢメモリ５ａからＰＤＦ等の電子ファイルを読み出したり、電子黒板２ａはＵＳＢメモリ５ａに電子ファイルを記録したりすることができる。また、電子黒板２ａには、DisplayPort（登録商標）、DVI(Digital Visual Interface)、HDMI(登録商標。High-Definition Multimedia Interface)及びVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信する。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００３０】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００３１】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００３２】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣのうち任意のノートＰＣを示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００３３】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、ＰＤＡ、デジタルビデオカメラ、デジタルカメラ、ゲーム機等の画像フレームを供給可能な端末であってもよい。更に、通信ネットワークには、インターネット、ＬＡＮ(Local Area Network)、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００３４】
＜電子黒板のハードウェア構成＞
続いて、図３を用いて、本実施形態の電子黒板のハードウェア構成を説明する。なお、図３は、電子黒板のハードウェア構成図である。
【００３５】
図３に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板２用のアプリケーションプログラム等の各種データを記憶するＳＳＤ１０４、通信ネットワーク９との通信を制御するネットワークコントローラ１０５、及び、ＵＳＢメモリ５との通信を制御する外部記憶コントローラ１０６を備えている。
【００３６】
また、電子黒板２は、ノートＰＣ６のディスプレイに対して映像情報を静止画又は動画として表示させるキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００３７】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線により、ディスプレイ３上の座標の検出を行う。ディスプレイ３の上側両端部に設置された２つ受発光装置が、ディスプレイ３に平行に複数の赤外線を放射し、この赤外線がディスプレイ３の周囲に設けられた反射部材によって反射されて、放射した光の光路と同一の光路上を戻って来る赤外線を受光素子が受光する。接触センサ１１５は、物体によって遮断された２つの受光素子のＩＤをセンサコントローラ１１４に出力し、センサコントローラ１１４が、物体の接触位置である座標位置を特定する。なお、以下に示す全ての各ＩＤは、識別情報の一例である。物体の一例は指や電子ペン４であるが、光を遮断する物であればよい。また、物体はガラスやプラスチックなど透明から半透明の材料で作成されていてもよい。
【００３８】
また、接触センサ１１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。
【００３９】
また、電子黒板２は、電子ペンコントローラ１１６を備えている。この電子ペンコントローラ１１６は、電子ペン４と通信することで、ディスプレイ３へのペンのタッチの有無を判定する。
【００４０】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図３に示されているように電気的に接続するためのアドレスバスやデータバス等のバスライン１２０を備えている。
【００４１】
また、電子黒板２はバスライン１２０に接続された電源ボタン１１９を有している。電源ボタン１１９は、ユーザが電子黒板２の電源をＯＮにしたりＯＦＦにしたりするために使用される。電源ボタン１１９のＯＮにより電力が供給され、電源ボタン１１９のＯＦＦにより所定の終了処理を経て電力が遮断される（ただし、スタンバイモードに移行してもよい）。具体的には、電源ボタン１１９のＯＮにより電子黒板２は情報処理装置として動作するためのＯＳ（Operating System）やアプリケーションを起動させる。電源ボタン１１９がＯＦＦされると電源ボタン１１９のＯＦＦをＣＰＵ１０１が割り込みとして検知して、ＣＰＵ１０１が電子黒板２の情報処理装置としての動作を停止させる。この停止には電力を消費しないシャットダウンの他、スタンバイモード（又はスリープモードと呼ばれてもよい）など電力を消費する状態が含まれてよい。
【００４２】
電源ボタン１１９は、機械的にＯＮ/ＯＦＦされるボタンである。あるいは、可動部を有するボタンである。例えば押しボタンやレバー型のスイッチが挙げられる。電源ボタン１１９はＯＮに操作されるとユーザが手を離しても電子黒板２は通電状態を維持する。ＯＮ状態でユーザが電源ボタン１１９を押下する操作がＯＦＦの操作となる。電源ボタン１１９は、例えば電子黒板２の側面に他のボタン（方向キーボタン、メニュー表示ボタン、ノートＰＣ６の映像が入力されるＨＤＭＩなどのインタフェースの入力種別切り替えボタンなど）と共に形成されている。電源ボタン１１９の形成位置は側面に限られず、前面や背面などユーザが操作可能な位置に形成されていてよい。
【００４３】
また、電子黒板２はバスライン１２０に接続されたリモコンコントローラ１２１を有している。リモコンコントローラ１２１は、赤外線や電波などでリモコン１１と通信し、リモコン１１からのコマンドを受信する。リモコン１１は、電子黒板２をユーザが遠隔操作するための端末である。リモコン１１は少なくとも遠隔電源ボタン１１ａを有しており、ユーザは電源ボタン１１９を操作しなくても遠隔電源ボタン１１ａを操作することで、電子黒板２の電源をＯＮ又はＯＦＦするコマンドを電子黒板２に送信する。
【００４４】
なお、電子黒板２用のアプリケーションプログラムは、ＣＤ−ＲＯＭ等のコンピュータで読み取り可能な記録媒体に記録して流通させるようにしてもよい。
【００４５】
＜電子黒板の機能構成＞
続いて、図４〜図７を用いて、電子黒板の機能構成について説明する。なお、先ずは、図４を用いて、電子黒板２の全体的な機能構成について説明する。図４は、電子黒板の機能ブロック図である。
【００４６】
電子黒板２は、図３に示されているハードウェア構成及びアプリケーションプログラムによって、図４に示されている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０及びサーバ部９０の両方によって構成されている。クライアント部２０及びサーバ部９０は、電子黒板２の１台の筐体内で実現される機能である。そして、電子黒板２が主催装置となる場合には、この電子黒板２では、クライアント部２０とサーバ部９０が実現される。また、電子黒板２が参加装置となる場合には、この電子黒板２では、クライアント部２０は実現されるが、サーバ部９０は実現されない。即ち、図２において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００４７】
電子黒板２は、起動処理部５４を有している。起動処理部５４は電子黒板２の電源ボタン１１９がＯＮされ電子黒板２の動作を制御するアプリケーションプログラムが起動すると動作する。アプリケーションプログラムの起動は、起動したＯＳにより行われる。起動処理部５４は電子黒板２が動作するための初期処理を行う。例えば、ページデータ記憶部３００にページデータが記憶されている場合、リカバリ処理部４１によるリカバリを行わせる。また、リカバリの有無に関係なく、ページデータ記憶部３００を初期化する。また、ユーザを認証するように設定されている場合、パスコードの入力欄を表示し、入力されたパスコードが正しいか否かを判定する。また、電子黒板２の起動時にパスコードを生成する（更新する）と設定されている場合は（これに対しパスコードが固定されている場合もある）、パスコードを生成する。
【００４８】
〔クライアント部２０の機能構成〕
続いて、主に図４から図６を用いて、クライアント部２０の機能構成について説明する。クライアント部２０は、映像取得部２１、座標検知部２２、自動調整部２３、接触検知部２４、イベント振分部２５、操作処理部２６、ジェスチャ処理部２７、映像重畳部２８、電源ボタン監視部５２、終了処理部５３、画像処理部３０、及び通信制御部６０を有する。
【００４９】
このうち、映像取得部２１は、ケーブル１０に接続された映像出力機器の出力画像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、画像取得部３１に出力する。
【００５０】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００５１】
自動調整部２３は、電子黒板２の起動時に起動され、座標検知部２２が適切な値を出力できるように、光センサ方式により座標を検知する座標検知部２２がセンサーカメラの画像を処理する際のパラメータを調整する。
【００５２】
接触検知部２４は、ユーザによって生じたイベント（ディスプレイ３上に電子ペン４のペン先又は電子ペン４のペン尻が押下（タッチ）された動作等）を検出する。
【００５３】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。ここで、「ストローク描画」は、ディスプレイ３上に図７に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を消去したり、描画された画像を編集したりするイベントも含まれる。
【００５４】
「ＵＩ操作」は、ディスプレイ３上に図７に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
【００５５】
「ジェスチャ操作」は、ディスプレイ３上に図７に示されている後述のストローク画像（Ｂ）が表示されている場合に、ユーザが手Ｈでディスプレイ３上をタッチしたり、スワイプしたりするイベントである。このジェスチャ操作により、例えば、ユーザがディスプレイ３上で指を滑らせることで、画像の拡大（若しくは縮小）、表示領域の変更、又は、ページ切り換え等を行うことができる。
【００５６】
操作処理部２６は、イベント振分部２５によってＵＩ操作と判定されたものから、イベントが発生されたＵＩの要素にしたがって、各種操作を実行する。このＵＩの要素としては、例えば、ボタン、リスト、チェックボックス、テキストボックスが挙げられる。ジェスチャ処理部２７は、イベント振分部２５によってジェスチャ操作と判定されたものに対応した操作を実行する。
【００５７】
映像重畳部２８は、後述の表示重畳部３６で重畳されて生成された画像を表示部２９に表示する。表示部２９はディスプレイ３により実現される表示機能である。また、映像重畳部２８は、映像出力機器（ノートＰＣ６等）からの映像に対して、他の映像出力機器（テレビ会議端末７等）から送られて来た映像をピクチャーインピクチャーする。更に、映像重畳部２８は、ピクチャーインピクチャーされて表示部２９の一部に表示された映像を、表示部２９の全体に表示させるための切り替えを行う。
【００５８】
画像処理部３０は、図７に示されているような各画像レイヤの重畳処理等を行う。この画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００、及び遠隔ライセンス管理テーブル３１０を有している。ページデータ記憶部３００、及び遠隔ライセンス管理テーブル３１０はＳＳＤ１０４やＵＳＢメモリ５などの不揮発メモリに構築される。あるいは、電子黒板２が停止していてもＲＡＭ１０３に電力が供給される場合はＲＡＭ１０３に構築されてもよい。
【００５９】
このうち、画像取得部３１は、映像取得部２１で取得された映像から、各フレームの画像を取得する。画像取得部３１は、この画像のデータを、ページ処理部３７に出力する。この画像は、図７に示されている映像出力機器（ノートＰＣ６等）からの出力画像（Ｃ）に相当する。
【００６０】
ストローク処理部３２は、イベント振分部２５によって割り振られたストローク描画に係るイベントに基づいて、画像を描画したり、描画された画像を消去したり、描画された画像を編集する。このストローク描画による画像は、図７に示されているストローク画像（Ｂ）に相当する。また、このストローク描画に係るイベントに基づいた画像の描画、消去、編集の各結果は、後述の操作データとして、操作データ記憶部８４０に記憶される。
【００６１】
ＵＩ画像生成部３３は、電子黒板２に予め設定されているＵＩ（ユーザインターフェース）画像を生成する。このＵＩ画像は、図７に示されているＵＩ画像（Ａ）に相当する。
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図７に示されている背景画像（Ｄ）に相当する。背景画像（Ｄ）のパターンは、無地、グリッド表示等である。
【００６２】
レイアウト管理部３５は、画像取得部３１、ストローク処理部３２、及びＵＩ画像生成部３３（又は背景生成部３４）から出力された各画像のレイアウトが規定されているレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００６３】
表示重畳部３６は、レイアウト管理部３５から出力されたレイアウト情報に基づき、画像取得部３１、ストローク処理部３２、及びＵＩ画像生成部３３（背景生成部３４）から出力された各画像をレイアウトする。
【００６４】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、ストローク配列データ（各ストロークデータ）と称され、表１に示されているストローク配列データＩＤが付与される。ストローク配列データは、ページデータの一部を成す。出力画像（Ｃ）のデータは、メディアデータと称され、表４に示されているメディアデータＩＤが付与される。メディアデータは、ページデータの一部を成す。そして、このメディアデータは、ページデータ記憶部３００から読み出されると、背景画像（Ｄ）のデータとして取り扱われる。
【００６５】
また、ページ処理部３７は、一旦記憶されたページデータのうちのメディアデータを、背景生成部３４を介して表示重畳部３６に送信することで、背景画像（Ｄ）をディスプレイ３に再表示させることができる。また、ページ処理部３７は、ページデータのうちのストローク配列データ（各ストロークデータ）を、ストローク処理部３２に送信することで、ストローク描画による画像の再編集ができる状態にすることができる。更に、ページ処理部３７は、ページデータを消去したり複製したりすることもできる。
【００６６】
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００６７】
表示重畳部３６は、画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトにしたがって重畳する。これにより、図７に示されているように、各画像が重なってもユーザが見える順に、ＵＩ画像（Ａ）、ストローク画像（Ｂ）、出力画像（Ｃ）、及び背景画像（Ｄ）の各レイヤの構成となっている。
【００６８】
また、表示重畳部３６は、図７に示されている画像（Ｃ）と画像（Ｄ）のいずれか一方のみを、画像（Ａ）及び画像（Ｂ）に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、画像（Ｃ）を重畳対象から外し、画像（Ｄ）を表示させることができる。この場合に、また、表示重畳部３６は、表示の拡大、表示の縮小、表示領域の移動処理も行う。
【００６９】
ページデータ記憶部３００は、表１に示されているようなページデータを記憶する。
【００７０】
【表１】
2017064983.tif 000003
表１は、ページデータを概念的に示す。ページデータは、ディスプレイ３に表示される１ページ分のデータ（ストローク配列データ（各ストロークデータ）及びメディアデータ）である。なお、ページデータに含まれるパラメータが多いため、ここでは、表１〜表４に分けて、ページデータの内容を説明する。
【００７１】
ページデータは、表１に示されているように、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図７に示されているストローク画像（Ｂ）をディスプレイ３上に表示するためのデータである。メディアデータは、後述の図７に示されている背景画像（Ｄ）をディスプレイ３上に表示するためのデータである。
【００７２】
例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００７３】
【表２】
2017064983.tif 000004
また、ストローク配列データには、表２に示されているように、詳細な情報が含まれている。表２は、ストローク配列データを概念的に示す。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点を識別するための座標配列データＩＤを示している。
【００７４】
【表３】
2017064983.tif 000005
更に、この座標配列データには、表３に示されているように、詳細な情報が含まれている。表３は、座標配列データを概念的に示す。表３に示されているように、座標配列データは、ディスプレイ３上の１点（Ｘ座標値、Ｙ座標値）、この１点を通過したときのストロークの開始時刻からの差分（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００７５】
また、表１に示されているページデータのうちのメディアデータには、表４に示されているように、詳細な情報が含まれている。
【００７６】
【表４】
2017064983.tif 000006
表４は、メディアデータを概念的に示す。表４に示されているように、メディアデータは、表１に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの画像を示すデータが関連付けられて示されている。なお、画像の位置は、ページデータによって表示されるディスプレイ３に表示される画像の左上端の位置（Ｘ座標値，Ｙ座標値）によって特定される。
【００７７】
また、図４に戻って説明する。遠隔ライセンス管理テーブル３１０は、遠隔共有処理を実行するために必要なライセンスデータを管理する。この遠隔ライセンス管理テーブル３１０では、表５に示されているように、電子黒板２のプロダクトＩＤ、認証に用いられるライセンスＩＤ、及びライセンスの有効期限が関連付けて管理されている。
【００７８】
【表５】
2017064983.tif 000007
また、図４に戻って説明する。電源ボタン監視部５２は電源ボタン１１９のＯＦＦを検知してファイル処理部４０に電源ＯＦＦ要求を通知する。すなわち、電源ボタン監視部５２はＣＰＵ１０１への割り込みにより電源ボタン１１９のＯＦＦを検知する。電源ボタン監視部５２はファイル処理部４０から表示情報の保存を完了したことを示す保存完了通知を取得すると、終了処理部５３に終了処理を要求する。
【００７９】
終了処理部５３は、電子黒板２を停止させる処理を行う。終了処理部５３の機能は従来と同様である。例えば、電子黒板２のＲＡＭ１０３に記憶されたデータ（ユーザが設定ファイルに設定情報など）をＳＳＤ１０４に退避させる処理、終了時刻の記憶等を行い、ページデータ記憶部３００の初期化などを行う。ページデータ記憶部３００が初期化されることで、別のユーザが電子黒板２を使用してもページデータ等が閲覧されることを抑制できる。
【００８０】
その後、シャットダウン処理やスタンバイモードへの移行を行うＯＳのＡＰＩ（Application Programming Interface）が呼び出され、電子黒板２のアプリケーションプログラム、ＯＳが終了されて、電子黒板２が停止される。終了処理部５３の機能は、操作処理部２６により終了要求が送信された場合も同様である。
【００８１】
（ファイル処理部４０の機能構成）
続いて、図５を用いて、図４に示されているファイル処理部４０の機能構成を説明する。なお、図５は、ファイル処理部の機能ブロック図である。ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。アドレス帳管理テーブル４１０、バックアップデータ記憶部４２０、設定ファイル記憶部４３０、及び接続先管理テーブル４４０は、それぞれ図３のＳＳＤ１０４やＵＳＢメモリ５などの不揮発メモリに構築される。あるいは、電子黒板２が停止していてもＲＡＭ１０３に電力が供給される場合はＲＡＭ１０３に構築されてもよい。
【００８２】
このうち、リカバリ処理部４１は、電子黒板２が異常終了した後に、異常終了を検知し、未保存のページデータを復旧する。例えば、正常終了の場合（後述する終了アイコンが押下された場合）は、ページデータがＰＤＦファイルとしてファイル処理部４０を介してＵＳＢメモリ５に記録される。一方、電源が故障した等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。リカバリ処理部４１の詳細は図８を参照して後述される。
【００８３】
ファイル入力部４２ａは、ＵＳＢメモリ５から、ＰＤＦファイルを読み込み、各ページをページデータとしてページデータ記憶部３００に記憶する。ファイル変換部４３は、ページデータ記憶部３００に記憶されているページデータを、ＰＤＦ形式のファイルに変換する。
【００８４】
ファイル出力部４２ｂは、ファイル変換部４３によって出力されたＰＤＦファイルをＵＳＢメモリ５に記録する。
【００８５】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザの操作により、宛先の選択を受け付けることによって決定される。アドレス帳管理テーブル４１０には、表６に示されているように、宛先の名前及び宛先の電子メールのメールアドレスが関連付けられて記憶されている。
【００８６】
【表６】
2017064983.tif 000008
また、ファイル送信部４４が、ユーザの操作による、宛先としてのメールアドレスの入力を受け付けることもできる。
【００８７】
アドレス帳入力部４５は、ＵＳＢメモリ５から電子メールアドレスの一覧ファイルを読み込み、アドレス帳管理テーブル４１０に記憶する。
【００８８】
バックアップ処理部４６は、ファイル出力部４２ｂによって出力されたファイルや、ファイル送信部４４によって送信されたファイルを、バックアップデータ記憶部４２０に記憶することでバックアップする。バックアップデータは、表７に示されているように、ＰＤＦ形式で記憶される。
【００８９】
【表７】
2017064983.tif 000009
したがって、電子黒板２が正常終了した場合、表７のバックアップデータの一レコード（ＰＤＦファイル）が記憶される。表７の１つのＰＤＦファイルが１つの会議の全てのページデータを含む。また、ユーザが任意のタイミングでページデータの保存処理を行った場合（後述する読み込み保存アイコンを押下した場合）、ＰＤＦファイルが作成される。保存処理を複数回、行った場合、その度にＰＤＦファイルが更新される。ＰＤＦファイルのファイル名は例えば終了処理部が取得した現在時刻（ＰＤＦファイルの作成時刻）を含んでいる。後述するように、ＰＤＦファイルはユーザが任意に付与する会議ＩＤと関連づけられている。ユーザは会議ＩＤが付与されたＰＤＦファイルを特定してページデータを再生することができる。なお、会議ＩＤはＰＤＦファイルを一意に識別するための識別情報である。また、ユーザはＰＤＦファイルに任意のファイル名を付与できる。
【００９０】
更に、バックアップデータはフラグのフィールドを有している。フラグのフィールドには、電源ボタン関連処理により作成されたバックアップデータに“Ｆ”が登録される。したがって、このフラグにより電子黒板２は保存データの有無を判定できる。この場合、ユーザは会議ＩＤを入力していないので、フラグＦが登録されたバックアップデータには会議ＩＤは対応づけられない。
【００９１】
図５に戻り、バックアップ出力部４７は、バックアップされたファイルをＵＳＢメモリ５に記憶する。この記憶の際には、ユーザにより、セキュリティのためにパスワードが入力される。
【００９２】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００９３】
設定ファイル出力部４９ｂは、電子黒板２の各種設定情報を、設定ファイルとしてＵＳＢメモリ５に記録させる。なお、設定ファイルは、ユーザが中身を見ることができないように保護されている。
【００９４】
設定ファイル入力部４９ａは、ＵＳＢメモリ５に記憶されている設定ファイルを読み込み、各種設定情報を電子黒板の各種設定に反映させる。
【００９５】
アドレス帳入力部５０は、ＵＳＢメモリ５から遠隔共有処理の接続先ＩＰアドレスの一覧ファイルを読み込み、接続先管理テーブル４４０に記憶する。接続先管理テーブル４４０の一例を表８に示す。
【００９６】
【表８】
2017064983.tif 000010
接続先管理テーブル４４０により、電子黒板２が参加装置である場合、この参加装置のユーザが主催装置としての役割を果たす電子黒板のＩＰアドレスを入力する手間を削減することができる。この接続先管理テーブル４４０では、参加できる遠隔共有処理の主催装置となる電子黒板２が設置されている拠点の名称、及び主催装置のＩＰアドレスが関連付けて管理されている。
【００９７】
なお、接続先管理テーブル４４０は、無くてもよい。但し、この場合には、参加装置のユーザは、主催装置との間で遠隔共有処理を開始するために、タッチパネル等を使って、主催装置のＩＰアドレスを入力する必要がある。そのため、参加装置のユーザは、電話や電子メール等によって、主催装置のユーザから、主催装置のＩＰアドレスを知得する。
【００９８】
（通信制御部６０の機能構成）
次に、図６を用いて、通信制御部６０の機能構成について説明する。図６は、サーバ部９０とクライアント部２０の機能ブロック図の一例である。通信制御部６０は、通信ネットワーク９を介して、他の電子黒板２との通信や、サーバ部９０における後述の通信制御部７０との通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、及び参加拠点管理テーブル６１０を有している。
【００９９】
このうち、遠隔開始処理部６１は、同じ電子黒板２のサーバ部９０に対して、新たに遠隔共有処理を開始する要求を送信し、サーバ部９０から要求に対する応答を受信する。遠隔開始処理部６１は、遠隔ライセンス管理テーブル３１０を参照し、ライセンス情報（プロダクトＩＤ、ライセンスＩＤ、及び有効期限）が記憶されている場合には、遠隔共有処理を開始する要求を送信することができる。但し、ライセンス情報が記憶されていない場合には遠隔共有処理を開始する送信することができない。
【０１００】
参加拠点管理テーブル６１０は、電子黒板が主催装置である場合、現在、遠隔共有処理に参加している参加装置としての電子黒板を管理するテーブルである。参加拠点管理テーブル６１０の一例を表９に示す。
【０１０１】
【表９】
2017064983.tif 000011
この参加拠点管理テーブル６１０では、遠隔共有処理の参加端末が設置されている拠点の名称及び当該電子黒板２のＩＰアドレスが関連付けて記憶されている。
【０１０２】
遠隔参加処理部６２は、通信ネットワーク９を介して、遠隔共有処理の主催装置である電子黒板２のサーバ部９０の遠隔接続要求受信部７１に対して、遠隔共有処理への参加要求を送信する。この場合も、遠隔参加処理部６２は、遠隔ライセンス管理テーブル３１０を参照する。また、遠隔参加処理部６２が、遠隔共有処理に参加する場合には、接続先管理テーブル４４０を参照して、参加する会議室のＩＰアドレスを取得する。なお、遠隔参加処理部６２によって接続先管理テーブルが参照されず、ユーザの操作により会議室のＩＰアドレスが入力されてもよい。
【０１０３】
遠隔画像送信部６３は、映像取得部２１から画像取得部３１を介して送られて来た出力画像（Ｃ）を、サーバ部９０に送信する。
【０１０４】
遠隔画像受信部６４は、サーバ部９０から、他の電子黒板２に接続された映像出力機器からの画像データを受信し、表示重畳部３６に出力することで、遠隔共有処理への参加を実現する。
【０１０５】
遠隔操作送信部６５は、遠隔共有処理に必要な各種操作データをサーバ部９０に送信する。この各種操作データとしては、例えば、ストロークの追加、ストロークの消去、ストロークの編集（拡大、縮小、移動）、ページデータの記憶、ページデータの作成、ページデータの複製、ページデータの消去、表示されているページの切り替え等に関するデータが挙げられる。また、遠隔操作受信部６６は、サーバ部９０から、他の電子黒板２で入力された操作データを受信し、画像処理部３０に出力する。
【０１０６】
〔サーバ部の機能構成〕
続いて、図６を用いて、サーバ部９０の機能構成について説明する。サーバ部９０は、全ての電子黒板２に設けられている。サーバ部９０は、通信制御部７０、及びデータ管理部８０を有している。
（通信制御部７０の機能構成）
次に、図６を用いて、通信制御部７０の機能構成について説明する。
【０１０７】
通信制御部７０は、同じ電子黒板２内のクライアント部２０の通信制御部７０との間の通信、及び他の電子黒板２内のクライアント部２０の通信制御部７０との通信を制御する。データ管理部８０は、操作データや画像データ等を管理する。
【０１０８】
通信制御部７０は、遠隔接続要求受信部７１、遠隔接続結果送信部７２、遠隔画像受信部７３、遠隔画像送信部７４、遠隔操作受信部７５、及び遠隔操作送信部７６を有している。
【０１０９】
このうち、遠隔接続要求受信部７１は、遠隔開始処理部６１からの遠隔共有処理の開始要求を受信したり、遠隔参加処理部６２からの遠隔共有処理に対する参加要求を受信したりする。遠隔接続結果送信部７２は、遠隔開始処理部６１へ遠隔共有処理の開始要求への応答を送信したり、遠隔参加処理部６２へ遠隔共有処理に対する参加要求への応答を送信したりする。
【０１１０】
遠隔画像受信部７３は、遠隔画像送信部６３からの画像データ（出力画像（Ｃ）のデータ）を受信し、後述の遠隔画像処理部８２に送信する。遠隔画像送信部７４は、遠隔画像処理部８２から画像データを受信し、遠隔画像受信部６４に対して、この画像データを送信する。
【０１１１】
遠隔操作受信部７５は、遠隔操作送信部６５からの操作データ（ストローク画像（Ｂ）等のデータ）を受信し、後述の遠隔操作処理部８３に送信する。遠隔操作送信部７６は、遠隔操作処理部８３から操作データを受信し、この操作データを遠隔操作受信部６６に送信する。
【０１１２】
（データ管理部の機能構成）
次に、図６を用いて、データ管理部８０の機能構成について説明する。データ管理部８０は、遠隔接続処理部８１、遠隔画像処理部８２、遠隔操作処理部８３、操作合成処理部８４、及びページ処理部８５を有している。更に、データ管理部８０は、パスコード管理部８１０、参加拠点管理テーブル８２０、画像データ記憶部８３０、操作データ記憶部８４０、及びページデータ記憶部８５０を有している。
【０１１３】
遠隔接続処理部８１は、遠隔共有処理の開始、及び遠隔共有処理の終了を行う。また、遠隔接続処理部８１は、遠隔接続要求受信部７１が、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの有効性を確認する。更に、遠隔接続処理部８１は、他の電子黒板２から受信した参加要求が予め定められた参加可能数を超えていないかを確認する。
【０１１４】
更に、遠隔接続処理部８１は、他の電子黒板２から遠隔共有処理に対する参加要求があった際に送られて来たパスコードが、パスコード管理部８１０に記憶されているパスコードと同じであるか否かを判定し、同じである場合には、遠隔共有処理の参加を許可する。なお、このパスコードは、新たに遠隔共有処理を開始する際に、遠隔接続処理部８１によって発行され、遠隔共有処理に参加しようとする参加装置のユーザに、主催装置のユーザから、電話や電子メール等により伝えられる。これにより、遠隔共有処理に参加しようとする参加装置のユーザが、参加装置にパスコードを入力して参加を要求すると、参加が許可されることになる。なお、セキュリティよりもユーザの使い勝手を優先する場合、パスコードの確認を省略し、ライセンスの確認のみが行われるようにしてもよい。
【０１１５】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０及びサーバ部９０の両方で、遠隔拠点情報を管理することになる。
【０１１６】
遠隔画像処理部８２は、遠隔共有処理に参加している各電子黒板２のクライアント部（主催装置である自己の電子黒板のクライアント部を含む）に接続された映像出力機器（ノートＰＣ６等）からの画像データ（出力画像（Ｃ））を受信して画像データ記憶部８３０に記憶する。また、遠隔画像処理部８２は、画像データの表示順を、画像データが主催装置である自己の電子黒板２のサーバ部９０に届いた時刻により判定する。また、遠隔画像処理部８２は、参加拠点管理テーブル８２０を参照し、遠隔共有処理に参加中の全ての電子黒板２のクライアント部２０（主催装置である自己の電子黒板のクライアント部を含む）に、通信制御部７０（遠隔画像送信部７４）を介して、上記判定した順番で画像データを送信する。
【０１１７】
遠隔操作処理部８３は、遠隔共有処理に参加している各電子黒板２（自己の電子黒板を含む）で描画されたストローク画像等の各種操作データ（ストローク画像（Ｂ）等）を受信し、画像の表示順を、主催装置である自己の電子黒板２のサーバ部９０に届いた時刻により判定する。なお、各種操作データは、上記の各種操作データと同じである。また、遠隔操作処理部８３は、参加拠点管理テーブル８２０を参照し、遠隔共有処理に参加している全ての電子黒板２のクライアント部２０（主催装置である自己の電子黒板のクライアント部を含む）に操作データを送信する。
【０１１８】
操作合成処理部８４は、遠隔操作処理部８３から出力された各電子黒板２の操作データを合成し、合成された操作データを、操作データ記憶部８４０に記憶すると共に遠隔操作処理部８３に供給する。この操作データは、遠隔操作送信部７６から、主催装置である電子黒板のクライアント部、及び参加装置である電子黒板のクライアント部のそれぞれに送信されることで、各電子黒板２で同じ操作データに係る画像が表示される。操作データの一例を表１０に示す。
【０１１９】
【表１０】
2017064983.tif 000012
操作データは、表１０に示されているように、SEQ(Sequence)、操作データの操作名、操作データの送信元である電子黒板２のＩＰアドレス及びクライアント部（サーバ部）のPort No.、操作データの送信先である電子黒板２のＩＰアドレス及びクライアント部（サーバ部）のPort No,、操作データの操作種類、操作データの操作対象、並びに操作データの内容を示すデータが関連付けられて示されている。例えば、SEQ1では、主催装置である電子黒板（ＩＰアドレス：192.0.0.1）のクライアント部（Port No.:50001）でストロークが描画され、同じ主催装置である電子黒板（ＩＰアドレス：192.0.0.1）のサーバ部（Port No.:50000）に操作データが送られたことが示されている。この場合の操作種類は「STROKE」、操作対象はページデータＩＤ「p005」、及び、操作データの内容を示すデータはストロークを示すデータである。また、SEQ2では、主催装置である電子黒板（ＩＰアドレス：192.0.0.1）のサーバ部（Port No.:50000）から、参加装置である他の電子黒板（ＩＰアドレス：192.0.0.1）のクライアント部（Port No.:50001）に、操作データが送られたことが示されている。
【０１２０】
なお、操作合成処理部８４は、この操作合成処理部８４に操作データが入力された順に合成を行うため、通信ネットワーク９が輻輳していなければ、各電子黒板２のユーザによるストローク順に、遠隔共有処理に参加している全ての電子黒板２のディスプレイ３にストローク画像（Ｂ）が表示される。
【０１２１】
ページ処理部８５は、クライアント部２０の画像処理部３０におけるページ処理部３７と同様の機能を有する。このため、サーバ部９０でも、表１から表３に示されているページデータが、ページデータ記憶部８５０に記憶される。なお、ページデータ記憶部８５０は、画像処理部３０におけるページデータ記憶部３００と同じ内容であるため、その説明を省略する。
【０１２２】
＜リカバリ処理部の機能構成＞
図８は、リカバリ処理部４１の機能ブロック図の一例を示す。設定管理部４８は図４で説明された機能に加え、電源ボタン１１９がＯＦＦされた場合に表示情報を保存するか否かを規定する設定情報、および、電源ボタン１１９がＯＮされた場合に表示情報を復元するか否かを規定する設定情報を管理する。以下、この設定情報を「表示情報復元設定」という。表示情報復元設定の設定方法は図１５にて説明される。表示情報復元設定は設定ファイルに記述され、設定ファイル記憶部４３０に記憶される。
【０１２３】
また、リカバリ処理部４１は、設定保存取得部４１１、保存判定部４１２、データ保存処理部４１３、データ復元処理部４１４、復元判定部４１５、及び、時刻取得部４１６を有している。設定保存取得部４１１は、設定管理部４８を通して、表示情報復元設定が含まれる設定ファイルや、電源ボタン１１９がＯＦＦされた時刻を設定ファイル記憶部４３０に保存したり、設定ファイル記憶部４３０から取得したりする。
【０１２４】
時刻取得部４１６は、電子黒板２が有するリアルタイムクロックやタイムサーバから現在時刻を取得する。この現在時刻は、電源ボタン１１９のＯＦＦ時刻及びＯＮ時刻として使用される。保存判定部４１２は、表示情報を保存するか否かを判定する。復元判定部４１５は、保存データを復元するか否かを判定する。
【０１２５】
データ保存処理部４１３は、保存判定部４１２が保存すると判定した場合に、表示情報をページデータ記憶部３００から読み出して保存データとしてバックアップデータ記憶部４２０に保存する。データ復元処理部４１４は、復元判定部４１５が保存データを復元すると判定した場合、保存データをバックアップデータ記憶部４２０から読み出して復元する。
【０１２６】
＜実施形態の処理又は動作＞
続いて、図９及び図１０を用いて、本実施形態の処理又は動作について説明する。なお、図９及び図１０は、各電子黒板の処理を示したシーケンス図である。図９及び図１０に示す実施形態では、電子黒板２ａが遠隔共有処理を主催する主催装置（サーバ部及びクライアント部）としての役割を果たしており、電子黒板２ｂ，２ｃが遠隔共有処理に参加する参加装置（クライアント部）としての役割を果たす。また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１２７】
（参加の処理）
まずは、図９を用いて、電子黒板２ｂ，２ｃが遠隔共有処理に参加するための処理について説明する。
【０１２８】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の遠隔開始処理部６１が、同じ電子黒板２ａのサーバ部９０の遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１２９】
次に、電子黒板２ａのクライアント部２０のＵＩ画像生成部３３が、電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。
【０１３０】
この接続情報には、主催装置のＩＰアドレス、及びこの遠隔共有処理のために生成されたパスコードが含まれている。この場合、パスコード管理部８１０に記憶されているパスコードは、図６に示されている遠隔接続処理部８１によって読み出され、遠隔接続結果送信部７２、遠隔開始処理部６１の順に送信される。更に、パスコードは、遠隔開始処理部６１を含む通信制御部６０から、図４に示されている画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０が設けられている場合、接続情報に主催装置のＩＰアドレスを含めなくとも、参加装置は参加要求を行うことができる。
【０１３１】
次に、電子黒板２ｂ，２ｃでは、各ユーザの操作によって接続情報の入力を受け付けると、各電子黒板２ａ，２ｂのクライアント部２０における遠隔参加処理部６２が、接続情報のＩＰアドレスに基づき、通信ネットワーク９を介して、電子黒板２ａのサーバ部９０の通信制御部７０にパスコードを送信して参加を要求する（ステップＳ２３，Ｓ２４）。これにより、通信制御部７０の遠隔接続要求受信部７１は、各電子黒板２ｂ，２ｃから、参加要求（パスコードを含む）を受信し、このパスコードを遠隔接続処理部８１に出力する。
【０１３２】
次に、遠隔接続処理部８１は、各電子黒板２ｂ，２ｃのから受信したパスコードを、パスコード管理部８１０を参照して認証する（ステップＳ２５）。
【０１３３】
そして、遠隔接続結果送信部７２が、各電子黒板２ｂ，２ｃのクライアント部２０に認証結果を通知する（ステップＳ２６，Ｓ２７）。
【０１３４】
ステップＳ２５の認証により、各電子黒板２ｂ，２ｃが正当な電子黒板であると判定されていた場合には、主催装置である電子黒板２ａと、参加装置である電子黒板２ｂ，２ｃとの遠隔共有処理の通信が確立される。これにより、各電子黒板２ｂ，２ｃのクライアント部２０の遠隔参加処理部６２が、それぞれ他の電子黒板との間の遠隔共有処理を開始する（ステップＳ２８，Ｓ２９）。
【０１３５】
（出力画像の表示）
続いて、図９を用いて、遠隔共有処理における出力画像（Ｃ）が表示される処理について説明する。
【０１３６】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
【０１３７】
次に、電子黒板２ｂの画像取得部３１を含む画像処理部３０が、遠隔画像送信部６３に出力画像（Ｃ）のデータを送信することで、遠隔画像送信部６３を含む通信制御部６０が通信ネットワーク９を介して、主催装置である電子黒板２ａの通信制御部７０に出力画像（Ｃ）のデータを送信する（ステップＳ３１）。これにより、電子黒板２ａの遠隔画像受信部７３は、出力画像（Ｃ）のデータを受信し、遠隔画像処理部８２に出力することで、遠隔画像処理部８２が画像データ記憶部８３０に出力画像（Ｃ）のデータを記憶する。
【０１３８】
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。遠隔画像送信部７４は、同じ主催装置である電子黒板２ａのクライアント部２０の遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１３９】
次に、主催装置としての電子黒板２ａのサーバ部９０の遠隔画像送信部７４を含む通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの遠隔画像受信部６４は、出力画像（Ｃ）のデータを受信する。
【０１４０】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１４１】
なお、出力画像（Ｃ）のデータだけでなく、ＵＩ画像（Ａ）、及びストローク画像（Ｂ）の各データが、映像重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。また、テレビ会議端末７から映像重畳部２８に、テレビ会議用の映像（Ｅ）のデータが送られて来ている場合には、映像重畳部２８は、ピクチャーインピクチャーによりテレビ会議用の映像（Ｅ）のデータを重畳画像（Ａ，Ｂ，Ｃ）に重畳して、ディスプレイ３ｃに出力する。
【０１４２】
（重畳画像の表示）
続いて、図１０を用いて、遠隔共有処理における重畳画像が表示される処理について説明する。
【０１４３】
まず、電子黒板２ｂは、ユーザが電子ペン４ｂを用いて電子黒板２ｂにストローク画像（Ｂ）を描画する（ステップＳ４１）。
【０１４４】
次に、電子黒板２ｂの表示重畳部３６は、図７に示されているように、ＵＩ画像（Ａ）、及び出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１４５】
次に、電子黒板２ｂのストローク処理部３２を含む画像処理部３０が、遠隔操作送信部６５にストローク画像（Ｂ）のデータを送信する。電子黒板２ｂの遠隔操作送信部６５は、通信ネットワーク９を介して、主催装置である電子黒板２ａの通信制御部７０にストローク画像（Ｂ）のデータを送信する（ステップＳ４３）。
【０１４６】
これにより、電子黒板２ａの遠隔操作受信部７５は、ストローク画像（Ｂ）のデータを受信し、遠隔操作処理部８３に出力する。遠隔操作処理部８３は、操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。このストローク画像（Ｂ）のデータは、表１に示されているストロークデータＩＤ毎に示されるデータである。よって、例えば、上記したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１４７】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶すると共に遠隔操作処理部８３に供給する。これにより、遠隔操作処理部８３は、操作合成処理部８４から受信した、合成後のストローク画像（Ｂ）のデータを、遠隔操作送信部７６に出力する。遠隔操作送信部７６は、電子黒板２ａのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１４８】
次に、主催装置としての電子黒板２ａのサーバ部９０の遠隔操作送信部７６を含む通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの遠隔操作受信部６６は、合成後のストローク画像（Ｂ）のデータを受信する。
【０１４９】
次に、電子黒板２ｃは、ディスプレイ３ｃに重畳画像（Ａ，Ｂ，Ｃ）を表示する（ステップＳ４６）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１５０】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との両方を同時にディスプレイ３上に表示させてもよい。
【０１５１】
（参加の終了）
続いて、図１０を用いて、参加装置が遠隔共有処理への参加を終了する処理について説明する。図１０に示す実施形態では、電子黒板２ｃが参加を終了する処理が示されている。
【０１５２】
まず、電子黒板２ｃでは、ユーザの操作によって参加の終了要求を受け付けると、遠隔参加処理部６２は、主催装置としての電子黒板２ａのサーバ部９０における通信制御部７０に、参加の終了を要求する（ステップＳ４７）。これにより、通信制御部７０の遠隔接続要求受信部７１は、電子黒板２ｃから、参加の終了要求を受信し、遠隔接続処理部８１に、電子黒板２ｃのＩＰアドレスと共に参加の終了要求を出力する。そして、電子黒板２ａの遠隔接続処理部８１は、参加拠点管理テーブル８２０から、参加の終了要求を送信した電子黒板２ｃのＩＰアドレス及び電子黒板２ｃが設置されている拠点の名称を消去し、遠隔接続結果送信部７２に、電子黒板２ｃのＩＰアドレス及び消去した旨の通知を出力する。
【０１５３】
次に、遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断し、参加が終了する（ステップＳ４９）。
【実施例１】
【０１５４】
電源ボタン関連処理を説明するに当たり、ユーザが電子黒板２を適切に操作して表示情報を保存する操作と、電子黒板２を正常終了させる操作について説明する。表示情報を保存する操作により電子黒板２はバックアップデータを保存し、正常終了により電子黒板２はバックアップデータを保存して停止する。【０１５５】
図１１は、電子黒板２のＵＩ画像（Ａ）とストローク画像（Ｂ）を説明する図の一例である。ＵＩ画像（Ａ）は情報表示エリア５０１、メイン操作パネル５０２、及び、ページ操作パネル５０３を有している。情報表示エリア５０１には、日時、電子黒板２のホスト名（設定されていない場合は非表示）、ＩＰアドレス、及び、パスコード等が表示される。このパスコードは他の拠点の電子黒板２が会議に参加する場合に他の拠点のユーザに通知される。【０１５６】
メイン操作パネル５０２には、ユーザが書き込みや編集など様々な操作を行うためのアイコンが表示される。本実施例では説明の便宜上、本実施例に関係するアイコンを説明する。また、ページ操作パネル５０３には各ページのサムネイル５０３ａや新規ページ作成アイコン５０３ｂなどが表示される。【０１５７】
メイン操作パネル５０２のアイコンの１つに読み込み保存アイコン５０２ａがある。ユーザが読み込み保存アイコン５０２ａを指や電子ペン４で押下することで、ファイル（ＰＤＦファイルの他、各種のファイル）の読み込み、ページの保存、メール送信、ページの印刷等を行うことができる。ページの保存により、バックアップデータ記憶部４２０に表示情報を保存できる。ユーザはＰＤＦファイルの保存に際し、ファイル名を付与したり、会議ＩＤやパスワードを設定したりすることができる。図１１ではストローク画像５０４，及び、ページデータ（サムネイル５０３ａ）が表示情報である。【０１５８】
また、メイン操作パネルのアイコンの１つに終了アイコン５０２ｂがある。終了アイコン５０２ｂは、電子黒板２を正常終了させる際に押下される。終了アイコン５０２ｂが押下されると、電子黒板２は表示情報を保存するためのダイアログをディスプレイ３に表示する。このため、正常終了させる際、ユーザは必要であれば表示情報を保存することができる。【０１５９】
なお、上記のように正常終了した電子黒板２は、シャットダウンされた状態、スタンバイモードなどに移行する。スタンバイ状態に移行した後、電子黒板２の無操作時間が設定値（図１５のスタンバイ時間）を超えると電子黒板２は停止する。シャットダウンされた場合でも、スタンバイ状態を経て停止した場合でも、表示情報がバックアップデータ記憶部４２０に保存される。【０１６０】
このように、ユーザが表示情報を保存した場合、又は、電子黒板２を正常終了させた場合、表示情報をバックアップデータとしてＰＤＦファイルで保存することができる。しかし、ユーザが電源ボタン１１９をＯＦＦにした場合、ページデータ記憶部３００に記憶されている表示情報の全てがバックアップデータ記憶部４２０に保存されないか、又は、保存されない一部の表示情報が生じうる。【０１６１】
本実施例では、ユーザが電源ボタン１１９をＯＦＦした場合でも表示情報をバックアップデータ記憶部４２０に保存して、電源ＯＮ時に復元することができる。【０１６２】
＜動作手順＞
図１２Ａは、電子黒板２の電源ボタン１１９又は遠隔電源ボタン１１ａがＯＦＦされた際に電子黒板２が行う処理を示すフローチャート図の一例である。【０１６３】
ユーザが電源ボタン１１９又はリモコン１１の遠隔電源ボタン１１ａをＯＦＦすることで、電源ボタン監視部５２が電源ボタン１１９又は遠隔電源ボタン１１ａのＯＦＦを検知する（Ｓ１０）。電源ボタン監視部５２は電源ＯＦＦ要求をファイル処理部４０に通知する。【０１６４】
電源ＯＦＦ要求を通知されたリカバリ処理部４１の保存判定部４１２は、保存するデータがあるか否かを判定する（Ｓ２０）。保存するデータとは表示情報である。電子黒板２の起動中、表１〜３のデータ及び表４のメディアデータがページデータ記憶部３００に保持されている。したがって、ページデータ記憶部３００にページデータ等又はメディアデータが記憶されていれば、保存するデータ（表示情報）が存在することになる。【０１６５】
ステップＳ２０の判定がＮｏの場合、処理はステップＳ４０に進む。ステップＳ２０の判定がＹｅｓの場合、リカバリ処理部４１のデータ保存処理部４１３は表示情報をページデータ記憶部３００から読み出してバックアップデータ記憶部４２０に保存する（Ｓ３０）。すなわち、各ページの画像を１つのＰＤＦファイルとして保存する。保存の際、データ保存処理部４１３はＰＤＦファイルにフラグとしてＦを対応づける。【０１６６】
なお、表示情報の他、操作内容の履歴、切り取りやコピー操作により得られクリップボードに記憶されているバッファ情報を保存してもよい。クリップボードはＲＡＭ１０３又はＳＳＤ１０４等に構築されている。【０１６７】
次に、電源ボタン監視部５２はファイル処理部４０から保存完了通知を取得して、終了処理部５３に終了処理を要求する。すなわち、終了処理部５３は、電子黒板２のＲＡＭ１０３に記憶されたデータをＳＳＤ１０４に退避させる処理、ページデータ記憶部３００の初期化などを行う。その後、電子黒板２を停止させる。【０１６８】
このように、電源ボタン１１９又は遠隔電源ボタン１１ａがＯＦＦされても、表示情報を保存しておくことができる。【０１６９】
図１２Ｂは、電子黒板２の電源ボタン１１９又は遠隔電源ボタン１１ａがＯＮされた際に電子黒板２が行う処理を示すフローチャート図の一例である。【０１７０】
まず、電源ボタン１１９又は遠隔電源ボタン１１ａがＯＮに操作されることにより、電子黒板２のＯＳ及びアプリケーションプログラムが起動する（Ｓ１１０）。【０１７１】
アプリケーションプログラムが起動すると、起動処理部５４が起動処理を行う（Ｓ１２０）。すなわち、起動処理部５４は、リカバリ処理部４１によるリカバリ、ページデータ記憶部３００の初期化、ユーザの認証、及び、パスコードの生成等を行う。【０１７２】
次に、リカバリ処理部４１の復元判定部４１５はバックアップデータ記憶部４２０に保存データがあるか否かを判定する（Ｓ１３０）。すなわち、フラグにＦがついているバックアップデータがバックアップデータ記憶部４２０に記憶されているか否かを判定する。【０１７３】
ステップＳ１３０の判定がＮｏの場合、図１２Ｂの処理は終了する。ステップＳ１３０の判定がＹｅｓの場合、リカバリ処理部４１のデータ復元処理部４１４が保存データを復元してディスプレイ３に表示させる。ディスプレイ３には例えば最初のページ又は最後のページが表示される。最後にディスプレイ３に表示されていたページが表示されてもよい。なお、復元とはＰＤＦファイルを解釈することであるが、仮に暗号化されていれば復号する処理も含まれる。【０１７４】
以上のように、電源ボタン１１９又は遠隔電源ボタン１１ａがＯＦＦされた場合、電子黒板２は表示情報を保存しておき、電源ボタン１１９又は遠隔電源ボタン１１ａがＯＮされた場合に復元することができる。したがって、例えば、ユーザが誤操作で電源をＯＦＦした場合に、表示情報を消失させずに再度、ディスプレイ３に表示できる。
【実施例２】
【０１７５】
実施例１では、保存データがあると必ず保存データが復元される。しかし、保存データを復元したくないユーザが電源をＯＮした場合には不要な復元を行ってしまう。そこで、本実施例では、ユーザが保存データを復元するか否かを制御できる電子黒板２について説明する。【０１７６】
図１３は、電子黒板２の電源ボタン１１９又は遠隔電源ボタン１１ａがＯＮされた際に電子黒板２が行う処理を示すフローチャート図の一例である。電源ボタン１１９又は遠隔電源ボタン１１ａのＯＦＦ時の処理は実施例１と同様でよい。図１３では図１２Ｂとの相違点を主に説明する。【０１７７】
図１３では、保存データがある場合（Ｓ１３０のＹｅｓ）、リカバリ処理部４１の保存判定部４１２は確認ダイアログをディスプレイ３に表示させる（Ｓ１３２）。確認ダイアログの一例を図１４に示す。図１４に示すように、確認ダイアログでは、表示情報を復元するか否かが選択できる。【０１７８】
そして、保存判定部４１２は復元するという操作を操作処理部２６が受け付けたか否かを判定する（Ｓ１３４）。【０１７９】
ステップＳ１３４の判定がＹｅｓの場合、データ復元処理部４１４は保存データを復元させる（Ｓ１４０）。これにより、実施例１と同様に、ユーザが例えば誤操作で電源をＯＦＦした場合に、表示情報を消失させずに再度、ディスプレイ３に表示できる。【０１８０】
また、ステップＳ１３４の判定がＮｏの場合、データ復元処理部４１４は保存データを削除する（Ｓ１５０）。したがって、電源ボタン１１９又は遠隔電源ボタン１１ａのＯＮにより、保存データを削除できるので、別のユーザが表示情報を閲覧したり、情報が漏洩することを抑制したりできる。【０１８１】
図１４は、ディスプレイ３に表示される確認ダイアログ５１１の一例を示す図である。確認ダイアログ５１１は、「前回の手書きデータ等を復元しますか？」というメッセージ５１２、「復元する」ボタン５１３、及び、「新規ホワイトボードを開始する」ボタン５１４を有している。「復元する」ボタン５１３は保存データを復元することを意味し、「新規ホワイトボードを開始する」ボタン５１４は保存データを復元することなくページデータ記憶部３００に新しくページデータ等の記憶を開始することを意味する。【０１８２】
ユーザが「復元する」ボタン５１３、又は、「新規ホワイトボードを開始する」ボタン５１４を押下すると、ユーザが触れた位置の座標が座標検知部２２により検知される。イベント振分部２５は、検知された座標及び確認ダイアログ５１１を表示中であるという情報に基づいてＵＩ操作が入力されたと判定し、操作処理部２６に座標を出力する。操作処理部２６は操作内容をリカバリ処理部４１の保存判定部４１２に送信する。【０１８３】
これにより、保存判定部４１２はユーザが「復元する」ボタン５１３、又は、「新規ホワイトボードを開始する」ボタン５１４のどちらを押下したかを判定できる。【０１８４】
以上のように、本実施例の電子黒板２は、保存データを復元したくないユーザが電源をＯＮした場合に、不要な復元を行うことを抑制できる。なお、本実施例は後述する実施例２〜６と組み合わせることが可能である。
【実施例３】
【０１８５】
実施例１，２では、保存データが復元されると表示情報が、第三者にも閲覧され得るため、情報が漏洩するおそれがあった。そこで、本実施例では、電源ボタン１１９又は遠隔電源ボタン１１ａのＯＦＦ時に表示情報を保存するか否かをユーザ等が設定できる電子黒板２について説明する。【０１８６】
図１５は、ディスプレイ３に表示される設定画面６０１の一例を示す図である。設定画面６０１には、拠点名変更ボタン６０２、システム更新設定欄６０３、自動シャットダウン時間設定欄６０４、自動再起動時刻設定欄６０５、自動スタンバイ時間設定欄６０６、遠隔会議の画質設定欄６０７、一次保存設定欄６０８、グリッド/ガイド線設定欄６０９、規定値設定欄６２０、及び、表示情報復元設定欄６１２を有する。【０１８７】
拠点名変更ボタン６０２は拠点名を変更するためのボタンである。システム更新設定欄６０３はシステム（ファームウェア）の更新タイミングを設定するための欄である。自動シャットダウン時間設定欄６０４は、電子黒板２に対する操作が行われない状態が続いている場合に自動的にシャットダウンされるまでの時間を設定するための欄である。自動再起動時刻設定欄６０５は電子黒板２が自動的に起動する時刻を設定するための欄である。自動スタンバイ時間設定欄６０６は、電子黒板２に対する操作が行われない状態が続いている場合に自動的にスタンバイ状態に移行されるまでの時間を設定するための欄である。画質設定欄６０７は他の拠点の電子黒板２と通信における画質の設定を行うための欄である。一次保存設定欄６０８は自動的なバックアップに関する設定を行うための欄である。グリッド/ガイド線設定欄６０９はグリッド/ガイド線の濃淡を設定するための欄である。規定値設定欄６２０は電子黒板２の詳細設定の規定値をＯＮ／ＯＦＦするための欄である。【０１８８】
電源ボタン関連処理の設定は表示情報復元設定欄６１２に設定される。表示情報復元設定欄６１２には、「起動時に前回シャットダウン時のホワイトボードを復元する」というメッセージ６１２ａとチェックボックス６１２ｂが表示されている。このチェックボックス６１２ｂがＯＮに設定されると、電源ボタン関連処理が有効になる。【０１８９】
また、表示情報復元設定欄６１２には復元タイムアウト時間設定欄６１２ｃが設けられている。復元タイムアウト時間設定欄６１２ｃは、電源ボタン１１９又は遠隔電源ボタン１１ａがＯＦＦされた時刻からの経過時間であって、保存データを復元することができる最長の経過時間（この時間を復元タイムアウト時間という）を設定するための欄である。なお、復元タイムアウト時間設定欄６１２ｃには「−（設定なし）」のような設定を選択可能であり、ユーザは復元タイムアウト時間を設定しないことも可能である。【０１９０】
ＯＫボタン６１３をユーザが押下すると、図１５の設定画面６０１でユーザが設定した内容は設定ファイルとして設定ファイル記憶部４３０に記憶される。キャンセルボタン６１４が押下された場合、設定した内容は記憶されない。具体的には、ユーザが触れた位置の座標が座標検知部２２により検知され、イベント振分部２５は、検知された座標及び設定画面６０１が表示されているという情報に基づいてＵＩ操作が入力されたと判定し、操作処理部２６に座標を出力する。操作処理部２６は操作内容を設定管理部４８に送信する。設定管理部４８は設定ファイルを設定ファイル記憶部４３０に記憶させる。リカバリ処理部４１の設定保存取得部４１１は設定管理部４８を介して設定ファイルを取得する。【０１９１】
なお、設定画面６０１は通信ネットワーク９を介して接続されたＰＣが表示することもできる。ＰＣはブラウザソフトウェアなどで設定画面６０１を表示し、ユーザはＰＣを操作して設定画面６０１に内容を設定することができる。【０１９２】
図１６Ａは、電子黒板２の電源ボタン１１９又は遠隔電源ボタン１１ａがＯＦＦされた際に電子黒板２が行う処理を示すフローチャート図の一例である。なお、図１６Ａでは図１２Ａとの相違を主に説明する。なお、本実施例では復元タイムアウト時間が設定されていない場合を説明する。【０１９３】
保存するデータがある場合（Ｓ２０のＹｅｓ）、リカバリ処理部４１の保存判定部４１２は表示情報復元設定がＯＮか否かを判定する（Ｓ２２）。すなわち、保存判定部４１２は設定管理部４８を介して設定ファイルを取得し、表示情報復元設定がＯＮか否かを判定する。保存判定部４１２は、設定管理部４８に表示情報復元設定がＯＮか否かを問い合わせてもよい。【０１９４】
ステップＳ２２の判定がＹｅｓの場合、データ保存処理部４１３は表示情報を保存する（Ｓ３０）。ステップＳ２２の判定がＮｏの場合、データ保存処理部４１３は表示情報を保存せず、終了処理部５３が終了処理を実行する（Ｓ４０）。【０１９５】
したがって、表示情報復元設定がＯＦＦの場合は表示情報を保存しないので、表示情報が第三者に閲覧される可能性を低減できる。【０１９６】
図１６Ｂは、電子黒板２の電源ボタン１１９又は遠隔電源ボタン１１ａがＯＮされた際に電子黒板２が行う処理を示すフローチャート図の一例である。なお、図１６Ｂでは図１２Ｂとの相違を主に説明する。なお、本実施例では復元タイムアウト時間が設定されていない場合を説明する。【０１９７】
電子黒板２のアプリケーションプログラムが起動すると、リカバリ処理部４１の復元判定部４１５は表示情報復元設定がＯＮか否かを判定する（Ｓ１２２）。【０１９８】
そして、ステップＳ１２２の判定がＹｅｓの場合にのみ、復元判定部４１５は保存データの有無を判定し（Ｓ１３０）、データ復元処理部４１４が保存データを復元させる（Ｓ１４０）。【０１９９】
したがって、表示情報復元設定がＯＦＦの場合は保存データを復元しないので、表示情報が第三者に閲覧される可能性を低減できる。【０２００】
以上のように本実施例の電子黒板２によれば、ユーザが予め復元するか否かを設定することにより、セキュリティを向上させることができる。電源ボタン１１９又は遠隔電源ボタン１１ａをＯＦＦしたユーザとＯＮしたユーザが同じ人物であれば、表示情報復元設定は常にＯＮでもよい（実施例１，２と同様）。しかし、場合によっては、Ａさんが電源ボタン１１９又は遠隔電源ボタン１１ａをＯＦＦした後にＢさんが電源ボタン１１９又は遠隔電源ボタン１１ａをＯＮすることも考えられる。例えば、ＡさんとＢさんが異なる会社、異なる部署などに属している場合、Ｂさんに表示情報を見られると情報漏洩となる場合もある。つまり、不特定のユーザが電子黒板２を使用するような状況では、表示情報復元設定をＯＦＦに設定しておくことで、情報漏洩を抑制しやすくなる。【０２０１】
なお、本実施例は、必要に応じて適宜変形されることで、他の実施例と組み合わせて適用することが可能である。
【実施例４】
【０２０２】
本実施例では、表示情報復元設定がＯＮであり、復元タイムアウト時間が設定されている電子黒板２について説明する。【０２０３】
復元タイムアウト時間を設定することは、以下のようなユーザに有効である。電源ボタン１１９などの誤操作などに対処できるように表示情報復元設定をＯＮに設定したいが、保存データの復元を制限したいユーザに有効である。一般に誤操作で電源ボタン１１９又は遠隔電源ボタン１１ａをＯＦＦしたユーザはすぐに電源ボタン１１９又は遠隔電源ボタン１１ａをＯＮすると考えられるため、復元タイムアウト時間に短い時間（例えば、数分）を設定しておくことで、情報漏洩を抑制しながら保存データを復元できる。すなわち、電源ボタン１１９又は遠隔電源ボタン１１ａのＯＦＦとＯＮが短時間に生じた場合、直前の電源ボタン１１９又は遠隔電源ボタン１１ａのＯＦＦが誤操作であったと推定される。また、電源ボタン１１９又は遠隔電源ボタン１１ａのＯＦＦとＯＮが短時間に生じた場合、電源ボタン１１９又は遠隔電源ボタン１１ａをＯＦＦしたユーザとＯＮしたユーザが同じ人物（表示情報を共有してよい異なる人物を含む）であると推定される。【０２０４】
一方、別の会議を開始する程度の時間や、電子黒板２の使用者が入れ替わるほどの時間が経過すれば、電子黒板２は保存データを復元しない。したがって、復元タイムアウト時間を適切に設定することで、表示情報の消失を抑制し、更に情報漏洩を抑制することができる。【０２０５】
図１７Ａは、電子黒板２の電源ボタン１１９又は遠隔電源ボタン１１ａがＯＦＦされた際に電子黒板２が行う処理を示すフローチャート図の一例である。なお、図１７Ａでは図１６Ａとの相違を主に説明する。【０２０６】
ステップＳ３０で表示情報を保存すると時刻取得部４１６は電源ボタン１１９又は遠隔電源ボタン１１ａがＯＦＦされた時刻を保存データに対応づけてバックアップデータ記憶部４２０に保存する（Ｓ３２）。すなわち、リアルタイムクロックやタイムサーバなどから現在時刻を取得して保存データに対応づけて保存する。保存データのファイル名に電源ボタン１１９又は遠隔電源ボタン１１ａがＯＦＦされた時刻が含まれる場合、ステップＳ３２を省略してもよい。また、電源ボタン１１９又は遠隔電源ボタン１１ａがＯＦＦされた時刻は厳密でなくてもよく、電源ボタン１１９又は遠隔電源ボタン１１ａがＯＦＦされた時刻と大きな相違がない時刻であればよい。例えば、保存データを保存した時刻、電源ＯＦＦ要求を取得した時刻を、電源ボタン１１９又は遠隔電源ボタン１１ａがＯＦＦされた時刻としてもよい。ステップＳ４０の処理は図１６Ａと同様である。【０２０７】
図１７Ｂは、電子黒板２の電源ボタン１１９又は遠隔電源ボタン１１ａがＯＮされた際に電子黒板２が行う処理を示すフローチャート図の一例である。なお、図１７Ｂでは図１６Ｂとの相違を主に説明する。【０２０８】
図１７Ｂでは、ステップＳ１３０で保存データがある場合、復元判定部４１５は電源ＯＦＦ時刻と電源ＯＮ時刻の差が復元タイムアウト時間以下か否かを判定する（Ｓ１３６）。すなわち、電源ボタン１１９又は遠隔電源ボタン１１ａの操作履歴が参照される。電源ＯＮ時刻は、例えば、ステップＳ１３６で時刻取得部４１６が取得した現在の時刻でよい。あるいは、図１７Ｂの処理が開始されてからステップＳ１３６の処理が実行されるまでの間に時刻取得部４１６が取得した時刻でよい。【０２０９】
ステップＳ１３６の判定がＹｅｓの場合、データ復元処理部４１４は保存データを復元させる（Ｓ１４０）。すなわち、表示情報復元設定がＯＮであり、さらに電源ＯＦＦ時刻と電源ＯＮ時刻の差が復元タイムアウト時間以下の場合は、保存データを復元する。【０２１０】
ステップＳ１３６の判定がＮｏの場合、データ復元処理部４１４は保存データを削除する（Ｓ１５０）。したがって、表示情報復元設定がＯＮでも、電源ＯＦＦ時刻と電源ＯＮ時刻の差が復元タイムアウト時間以下でない場合は、保存データが削除される。【０２１１】
このように、電子黒板２は保存データを表示すべきか否かを適切に判定できる。すなわち、電源ボタン１１９のＯＦＦが誤操作であると推定される場合、又は、電源ボタン１１９又は遠隔電源ボタン１１ａをＯＦＦしたユーザとＯＮしたユーザが同じ人物であると推定される場合、保存データを復元できる。一方、別の会議が始まったと推定される時間や、電子黒板２の使用者が入れ替わったと推定される時間が経過すれば、電子黒板２は保存データを復元しないので、情報漏洩を抑制することができる。【０２１２】
なお、本実施例は、必要に応じて適宜変形されることで、他の実施例と組み合わせて適用することが可能である。
【実施例５】
【０２１３】
本実施例では、保存データと共にパスコードを保存することができる電子黒板２について説明する。図９のステップＳ２３，Ｓ２４にて説明したように、参加装置の電子黒板２はパスコードにより主催装置の電子黒板２にログインする。一方、上記のパスコードは固定のパスコードが付与される場合と、電子黒板２が再起動のたびに自動的に生成する場合がある。このため、後者のように設定されている場合、電源ボタン１１９又は遠隔電源ボタン１１ａがＯＦＦされた後、ＯＮされると、電子黒板２が再起動してパスコードを生成してしまう。この場合、再起動した電子黒板２のユーザは遠隔地のユーザに新しいパスコードを通知する必要がある。【０２１４】
本実施例の電子黒板２はパスコードを保存しておくので、再度のパスコードの通知を不要にできる。【０２１５】
図１８Ａは、電子黒板２の電源ボタン１１９又は遠隔電源ボタン１１ａがＯＦＦされた際に電子黒板２が行う処理を示すフローチャート図の一例である。なお、図１８Ａでは図１２Ａとの相違を主に説明する。【０２１６】
データ保存処理部４１３が表示情報を保存データとして保存すると（Ｓ３０）、データ保存処理部４１３がパスコードを保存データに対応づけてバックアップデータ記憶部４２０に保存しておく（Ｓ３４）。これにより、電子黒板２は保存データと共にパスコードを読み出すことができる。以降の処理は図１２Ａと同様である。【０２１７】
図１８Ｂは、電子黒板２の電源ボタン１１９又は遠隔電源ボタン１１ａがＯＮされた際に電子黒板２が行う処理を示すフローチャート図の一例である。なお、図１８Ｂでは図１２Ｂとの相違を主に説明する。【０２１８】
データ復元処理部４１４が保存データを復元させると（Ｓ１４０）、データ復元処理部４１４は保存データに対応づけられているパスコードをバックアップデータ記憶部４２０から読み出す（Ｓ１４２）。パスコードはパスコード管理部８１０で管理されているので、データ復元処理部４１４はパスコードをパスコード管理部８１０に送信する。これにより、パスコード管理部８１０は再起動の前のパスコードを管理できる。【０２１９】
この後、参加装置は再起動した電子黒板２に、再起動の前に通知されているパスコードでログインする。したがって、主催装置が参加装置と通信中に、主催装置のユーザが誤って電源ボタン１１９又は遠隔電源ボタン１１ａをＯＦＦにした場合、参加装置のユーザに新しいパスコードを伝えて入れ直してもらうという手間を減らすことができる。【０２２０】
なお、本実施例は、必要に応じて適宜変形されることで、他の実施例と組み合わせて適用することが可能である。
【実施例６】
【０２２１】
本実施例では、電子黒板２がある会議室の予約システムと連携して、保存データを復元するか否かを判定する電子黒板２について説明する。【０２２２】
図１９は、会議室の予約システム８００の概略構成図を例示する。通信ネットワーク９を介して会議予約サーバ７０１、ユーザＰＣ７０２、及び、１つ以上の電子黒板２が通信可能に接続されている。会議予約サーバ７０１は情報処理装置であり、Ｗｅｂサーバとして機能しユーザＰＣ７０２から会議室の予約を受け付ける。ユーザＰＣ７０２はノートＰＣ６などの情報処理装置であり、会議予約サーバ７０１と通信する。ＨＴＴＰなどの通信プロトコルでＨＴＭＬデータをユーザＰＣ７０２が受信し、Ｗｅｂページをブラウザソフトウェアで表示させたりＷｅｂアプリを実行したりする。ユーザＰＣ７０２のユーザはブラウザソフトウェアから会議室の予約に必要な情報を設定する。なお、このような予約システムによる会議室の予約は公知であるため詳細は省略する。【０２２３】
電子黒板２ａ〜２ｎが会議室１〜Ｎに配置されている。図では１つの会議室には１つの電子黒板２が配置されているが、１つの会議室に１つ以上の電子黒板２が配置されてもよい。会議予約サーバ７０１は会議室と電子黒板２の対応関係を管理している。ユーザが会議室を予約することで、会議予約サーバ７０１には表１１に示すような予約情報が登録される。【０２２４】
【表１１】
2017064983.tif 000013
表１１は、会議予約サーバ７０１が管理する予約情報を模式的に示す。予約情報には、予約番号、会議室番号、年月日、開始時刻、終了時刻、及び、予約ユーザが登録されている。例えば、会議室１には電子黒板２ａが配置されており、2015/09/30の10:00から12:00がユーザＡにより予約されている。開始時刻と終了時刻をまとめて予約時間という。【０２２５】
電子黒板２ａは、会議予約サーバ７０１から少なくとも自機が配置されている会議室の予約情報を取得して例えば設定ファイル記憶部４３０等に記憶させておく。したがって、電子黒板２ａは会議ごとに会議の開始時刻と終了時刻を検知できる。【０２２６】
本実施例の電子黒板２は、会議の開始時刻と終了時刻を利用して、保存データを復元するか否かを判定する。１つの会議の開始時刻から終了時刻の間は、ユーザは同じ会議に参加しているので、電源ボタン１１９又は遠隔電源ボタン１１ａをＯＮした場合、直前の電源ボタン１１９又は遠隔電源ボタン１１ａのＯＦＦは誤操作である可能性が高い。また、１つの会議の開始時刻から終了時刻の間は、ユーザは同じ会議に参加しているので、電子黒板２のユーザが表示情報を閲覧してもよいと考えられる。次の会議の参加者は次の会議の開始時刻までは会議室に進入しない場合が多い。したがって、電子黒板２の電源ＯＦＦ時刻と電源ＯＮ時刻がある会議の開始時刻から終了時刻の間に含まれる場合、電子黒板２は表示すべき保存データがあると判定できる。これにより、電源ボタン１１９又は遠隔電源ボタン１１ａが誤操作によりＯＦＦされた場合に、表示情報の損失を抑制できる。また、同じ人物により電源ボタン１１９又は遠隔電源ボタン１１ａがＯＦＦされてＯＮされた場合に、表示情報の損失を抑制できる。さらに、次の会議が始まると、前の会議の保存データを復元しないので情報漏洩を抑制できる。【０２２７】
なお、本実施例の場合、図１５の設定画面において、表示情報復元設定欄６１２に「予約システムと連携」というメッセージとチェックボックスが表示される。ユーザがチェックボックスをＯＮにすることで、電子黒板２は会議予約サーバ７０１の予約情報を利用して保存データを復元するか否かを判定する。【０２２８】
図２０は、電子黒板２の電源ボタン１１９又は遠隔電源ボタン１１ａがＯＮされた際に電子黒板２が行う処理を示すフローチャート図の一例である。なお、電源ＯＦＦ時の処理は図１７Ａと同様であり、図２０では図１７Ｂとの相違を主に説明する。なお、本実施例では復元タイムアウト時間が設定されていない場合を説明する。【０２２９】
図２０では、ステップＳ１２３で、リカバリ処理部４１の復元判定部４１５は表示情報復元設定がＯＮで、更に予約システムと連携がＯＮか否かを判定する（Ｓ１２３）。【０２３０】
ステップＳ１２３の判定がＹｅｓの場合、ステップＳ１３０で保存データがあるか否かが判定される。【０２３１】
そして、ステップＳ１３０の判定がＹｅｓの場合、復元判定部４１５は電源ＯＦＦ時刻と電源ＯＮ時刻が現在の会議の開始時刻から終了時刻の間に含まれるか否かを判定する（Ｓ１３７）。すなわち、電源ボタン１１９又は遠隔電源ボタン１１ａの操作履歴が参照される。【０２３２】
ステップＳ１３７の判定がＹｅｓの場合、データ復元処理部４１４は保存データを復元させる（Ｓ１４０）。ステップＳ１３７の判定がＮｏの場合、データ復元処理部４１４は保存データを削除する（Ｓ１５０）。【０２３３】
本実施例の電子黒板２は、会議予約システムの予約情報、および、電源ボタン１１９又は遠隔電源ボタン１１ａの操作履歴を参照する。これにより、直前の電源ボタン１１９又は遠隔電源ボタン１１ａのＯＦＦが誤操作であるかどうかが推定され、又は、電源ボタン１１９又は遠隔電源ボタン１１ａのＯＦＦ/ＯＮが同じ人物によるかどうかが推定される。これにより、表示情報の消失を抑制でき、また、情報漏洩を抑制できる。【０２３４】
なお、本実施例は、必要に応じて適宜変形されることで、他の実施例と組み合わせて適用することが可能である。【０２３５】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。【０２３６】
例えば、本実施形態では電子黒板２の表示情報の保存について説明したが、プロジェクターが投影した画像、テレビ会議端末が表示した情報、などにも適用できる。また、汎用的な情報処理装置である、タブレット端末、スマートフォン、ＰＤＡ（Personal Digital Assistant）、ＰＣ、デジタルサイネージ、ゲーム機などに広く適用できる。【０２３７】
また、電子黒板２は、電子情報ボード又は電子ホワイトボード等どのように呼ばれているかは問わない。【０２３８】
また、バックアップデータ記憶部４２０やページデータ記憶部３００は電子黒板２が有する他、通信ネットワーク９のサーバやＮＡＳ（Network Attached Storage）に記憶されていてもよい。【０２３９】
また、図４〜６、８の構成例は、電子黒板２による処理の理解を容易にするために、主な機能に応じて分割したものである。処理単位の分割の仕方や名称は、本願発明を限定するものではない。電子黒板２の処理は、処理内容に応じて更に多くの処理単位に分割することもできる。また、１つの処理単位が更に多くの処理を含むように分割することもできる。【０２４０】
なお、画像処理部３０や映像重畳部２８等は表示制御手段の一例であり、電源ボタン監視部５２は電源ボタン操作検出手段の一例であり、時刻取得部４１６は操作時刻記録手段の一例であり、データ保存処理部４１３は保存手段の一例であり、保存判定部４１２は判定手段の一例であり、データ復元処理部４１４は情報表示手段の一例である。ページデータ記憶部３００は第一の記憶装置の一例であり、設定ファイル記憶部４３０は第二の記憶装置の一例である。ディスプレイ３は表示装置の一例である。【０２４１】
操作処理部２６は設定受付手段の一例であり、パスコード管理部８１０はパスコード保持手段の一例である。会議予約サーバ７０１は外部機器の一例である。実施例１〜６の電子黒板２が行う処理は情報処理方法の一例である。【０２４２】
以上、本発明を実施の形態に基づいて説明したが、本発明は上記実施の形態に限定されるものではなく、特許請求の範囲に記載の範囲内で様々な変形が可能である。【０２４３】
本願は、日本特許庁に２０１５年１０月１５日に出願された基礎出願２０１５−２０３８４２号の優先権を主張するものであり、その全内容を参照によりここに援用する。
【符号の説明】
【０２４４】
１        画像処理システム
２        電子黒板
４        電子ペン
２０      クライアント部
２２      座標検知部
２５      イベント振分部
２６      操作処理部
４１      リカバリ処理部
５２      電源ボタン監視部
４１１    設定保存取得部
４１２    保存判定部
４１３    データ保存処理部
４１４    データ復元処理部
４１５    復元判定部
４１６    時刻取得部
【図１Ａ】
2017064983.tif 000014
【図１Ｂ】
2017064983.tif 000015
【図２】
2017064983.tif 000016
【図３】
2017064983.tif 000017
【図４】
2017064983.tif 000018
【図５】
2017064983.tif 000019
【図６】
2017064983.tif 000020
【図７】
2017064983.tif 000021
【図８】
2017064983.tif 000022
【図９】
2017064983.tif 000023
【図１０】
2017064983.tif 000024
【図１１】
2017064983.tif 000025
【図１２Ａ】
2017064983.tif 000026
【図１２Ｂ】
2017064983.tif 000027
【図１３】
2017064983.tif 000028
【図１４】
2017064983.tif 000029
【図１５】
2017064983.tif 000030
【図１６Ａ】
2017064983.tif 000031
【図１６Ｂ】
2017064983.tif 000032
【図１７Ａ】
2017064983.tif 000033
【図１７Ｂ】
2017064983.tif 000034
【図１８Ａ】
2017064983.tif 000035
【図１８Ｂ】
2017064983.tif 000036
【図１９】
2017064983.tif 000037
【図２０】
2017064983.tif 000038
【国際調査報告】
2017064983.tif 000039
2017064983.tif 000040
2017064983.tif 000041
2017064983.tif 000042